(57)【特許請求の範囲】
【請求項１】
壁内に配置された一次側配管に接続され壁面に取り付けられる連結部材と、前記連結部材と水密に連結する蛇口本体とで構成された水栓蛇口であって、
前記蛇口本体は、周面に貫通孔が設けられた吐出管と、前記吐出管の上流側端部に設けられたフランジ部を備え、
前記連結部材は、裏面側に位置する雄ネジから表面側に貫通する流動経路を有する板状部と、前記板状部の表面側に設けられ前記蛇口本体のフランジ部を固定する固定部と、前記蛇口本体の吐出管に挿入可能に前記板状部の表面側に突設された挿入管と、前記挿入管内部に設けられ、前記蛇口本体の貫通孔を通して操作可能な止水バルブを有する、ことを特徴とする、水栓蛇口。
【請求項２】
前記固定部は、前記フランジ部の外周縁に沿った形状に構成され、前記フランジ部の周縁を係合する鈎状部を有することを特徴とする、請求項１に記載の水栓蛇口。
【請求項３】
前記固定部は、前記連結部材に前記挿入管の中心軸の周りに円弧状に配列された複数のネジ孔と、前記フランジ部に前記ネジ孔の配列に沿って設けられた円弧状の長孔で構成されていることを特徴とする、請求項１に記載の水栓蛇口。
【発明の詳細な説明】
【技術分野】
【０００１】
本発明は、壁内に配置された一次側配管に取り付けられる水栓蛇口に関する。
【背景技術】
【０００２】
従来、壁内に配置された一次側配管に水栓を連結する場合、水栓の上流部に形成された雄ねじ部にシールテープを巻き付けた後、この雄ねじ部を一次側配管のソケット先端に設けられた雌ねじ部にねじ込むことが一般的に行われている。
【０００３】
ところで、上記ねじ込みを行う際に、水栓の方向を調整するために水栓のねじ戻し（ねじ込みの逆となる操作）を少しでも行うと、シールテープが水密状態を損なうように変形して漏水を引き起こしてしまう恐れがある。従って、ねじ戻しをすることなく、方向を微調整しながら水栓を慎重にねじ込まなければならない。
【０００４】
このように、この施工は、特に未習熟な者にとっては難しく、シールテープの巻き直しをも含めた施工のやり直しを余儀なくされることが多い。また、水栓は一般に蛇口が故障することがほとんどであり、故障した場合などに水栓の取り替えを行なう場合も、上記の理由から全体として交換する必要があることから、自分で簡単に施工することはできず、業者を手配する必要があった。
【０００５】
このような問題に対し、特開平１０−１５９１３８号公報(特許文献１)や特開２０１３-５７１８０号公報(特許文献２)などには、水栓を一次側配管に取り付ける連結部と蛇口が設けられた本体部とに分けて構成し、連結部と本体部とを脱着可能に構成した水栓が開示されている。この水栓では、一次側配管にシールテープを用いてネジ込みにより取り付けられる連結部と連結部とに挿入されて固定される本体部とを備えているため、蛇口の故障などの場合に、本体部のみを変更することができるという利点があった。
【先行技術文献】
【特許文献】
【０００６】
【特許文献１】特開平１０−１５９１３８号公報
【特許文献２】特開２０１３−５７１８０号公報
【発明の概要】
【発明が解決しようとする課題】
【０００７】
しかし、上記水栓は、いずれも混合水栓であり、一次側配管と蛇口との間に連結管が必要となるため、壁と蛇口との間が離れた状態に取り付けられる。また、蛇口脱着のために、専用の道具が必要となるなど、蛇口の交換に必要の手間が依然として大きいという問題があった。
【０００８】
また、蛇口を連結部から外す場合は、事前に止水しておく手間が必要であり、特許文献２については、連結管から吐出することを防止するため、蛇口とは別に設けられた水道栓を止めておく必要があった。一方特許文献１では、止水栓がそれぞれの接続管に設けられているため、蛇口を取り外すに先立ち接続管の止水栓を止めることで水の吐出を防止することができるが、蛇口の構造が大きくなるという問題を生じていた。
【０００９】
したがって、本発明が解決しようとする技術的課題は、取り替えが容易で、コンパクトに止水をすることができる水栓蛇口を提供することである。
【課題を解決するための手段】
【００１０】
本発明は、上記技術的課題を解決するために、以下の構成の水栓蛇口及び水栓の壁取付構造を提供する。
【００１１】
本発明の第１態様によれば、壁内に配置された一次側配管に接続され壁面に取り付けられる連結部材と、前記連結部材と水密に連結する蛇口本体とで構成された水栓蛇口であって、
前記蛇口本体は、周面に貫通孔が設けられた吐出管と、前記吐出管の上流側端部に設けられたフランジ部を備え、
前記連結部材は、裏面側に位置する雄ネジから表面側に貫通する流動経路を有する板状部と、前記板状部の表面側に設けられ前記蛇口本体のフランジ部を固定する固定部と、前記蛇口本体の吐出管に挿入可能に前記板状部の表面側に突設された挿入管と、前記挿入管内部に設けられ、前記蛇口本体の貫通孔を通して操作可能な止水バルブを有する、ことを特徴とする、水栓蛇口を提供する。
【００１２】
本発明の第２態様によれば、前記固定部は、前記フランジ部の外周縁に沿った形状に構成され、前記フランジ部の周縁を係合する鈎状部を有することを特徴とする、第１態様の水栓蛇口を提供する。
【００１３】
本発明の第３態様によれば、前記固定部は、前記連結部材に前記挿入管の中心軸の周りに円弧状に配列された複数のネジ孔と、前記フランジ部に前記ネジ孔の配列に沿って設けられた円弧状の長孔で構成されていることを特徴とする、第１態様の水栓蛇口を提供する。
【発明の効果】
【００１４】
本発明によれば、一次側配管に接続される連結部材と蛇口本体とを分割しているため、蛇口本体の脱着が容易である。また、挿入管内部に止水バルブを有し、当該止水バルブは、吐出管に設けられた貫通孔を通して操作可能であるため、蛇口の構成をコンパクトにすることができる。
【図面の簡単な説明】
【００１５】
【図１】本発明の第１実施形態にかかる水栓蛇口を壁に取り付けた状態を示す部分断面図である。
【図２】図１の水栓蛇口に用いられる連結部材の構成を示す図である。
【図３】図１の水栓蛇口の取り付け構造を示す分解斜視図である。
【図４】変形例にかかる水栓蛇口に用いられる連結部材の構成を示す図である。
【図５】図４の連結部材に取り付けられる水栓蛇口のフランジ部の構造を示す図である。
【図６】さらなる変形例にかかる水栓蛇口に用いられる連結部材の構成を示す図である。
【図７】図６の連結部材に取り付けられる水栓蛇口のフランジ部の構造を示す図である。
【図８】図本発明に係る水栓蛇口の変形例を示す部分断面図である。
【発明を実施するための形態】
【００１６】
以下、本発明の実施形態に係る水栓蛇口について、図面を参照しながら説明する。
【００１７】
図１に示すように、本実施の形態に係る水栓蛇口１は、蛇口本体２及び連結部材３を有し、壁Ｗ内に配置された一次側配管４に連結される。蛇口本体２及び連結部材３は連結可能に構成されており、連結部材３が壁面に沿って設けられて、連結部材に固定された蛇口本体２から一次側配管４から送られた水を吐出する。
【００１８】
水栓蛇口１を構成する水栓本体２は、吐水管５を有しており、ハンドル６を操作することで水の吐出量を調整する。吐水管５の上流端には、フランジ７が設けられている。フランジ７は厚み数ミリメートル程度で、外縁が円形となるように構成されている。本実施形態ではフランジ７の厚み寸法は、８ミリメートルに構成されている。
【００１９】
図３に示すように、フランジ７の下方領域には、２つの貫通孔８が設けられている。貫通孔８は、後述する連結部材３との固定に用いるネジ９を通すためのものである。
【００２０】
一次側配管４の先端に設けられたソケット４ａには雌ねじ部１１が設けられており、連結部材３の上流側に設けられた雄ネジ部１０が一次側配管４にねじ込まれて螺合連結される。図３に示すように壁Ｗには、連結部材３の雄ネジ部１０の外径寸法程度の挿入孔Ｈが設けられており、当該挿入孔Ｈに雄ネジ部１０を挿入して壁Ｗを挟むようにして一次側配管４と連結部材３を固定する。連結部材３の表面側には、雄ネジ部１０を一次側配管４にねじ込むための締め付け用六角部１０ａが突設されており、当該六角部１０ａにスパナなどを用いることで、連結部材３を螺合させる。
【００２１】
連結部材３は、ステンレススチールなどで構成された金属製の部材であり、図２、図３に示すように、厚さ１０ミリメートル程度の板状に構成された本体部１２を有する。また、本体部１２の表面側中心部分には、挿入管１７が設けられている。本体部１２の雄ネジ部１０から挿入管１７まで貫通する流動経路１３が形成されている。流動経路１３は、蛇口本体２の吐水管５と連通し、一次側配管４から送られた水を蛇口本体２に供給する。
【００２２】
挿入管１７は、蛇口本体２の吐水管５に挿入して水密に連結されるように構成されており、内部に止水バルブ１８が設けられている。止水バルブ１８は、ドライバーなど治具などを用いて挿入管１７の上面に設けられている操作部１９を操作することにより、水の吐出及び停止を切り替えることができる。
【００２３】
蛇口本体２の吐水管５には、止水バルブ１８の操作部１９に対応する位置に、貫通孔２０が設けられており、当該貫通孔２０に治具などを通して、操作部１９を操作することができる。
【００２４】
挿入管１７には、漏水防止用のパッキン１４が２箇所に設けられている。パッキン１４はＯリングなどで構成されており、挿入管１７の周囲に凹設された取り付け溝（図示なし）などに嵌め込まれて固定される。
【００２５】
連結部材３の本体部１２表面側には、係合部１５が設けられている。係合部１５は、本体部１２外縁に沿って円弧状に設けられ、図３に示すように断面鈎型に構成されている。
【００２６】
係合部１５と本体部１２の間には隙間１５ａが設けられており、蛇口本体２のフランジ７の外縁部分を当該隙間１５ａに挿入する。係合部１５の隙間１５ａの寸法は、連結部材３と蛇口本体２との連結時にガタツキが生じないように、フランジ７の厚み寸法とほぼ同じに構成される。
【００２７】
また、連結部材３の本体部１２には、係合部１５に対して流動経路１３の対向位置に２つの固定用ネジ孔１６が設けられている。固定用ネジ孔１６はフランジ７に設けられた２つの貫通孔８に対応するものであり、連結部材３と蛇口本体２との連結に用いる。固定用ネジ孔１６は、本実施形態では、本体部１２を貫通しない有底のネジ孔であるが、本体部１２を貫通するように構成し、蛇口本体２の固定時に、連結部材３を壁Ｗに固定するように構成してもよい。
【００２８】
次に、本実施形態にかかる水栓蛇口の取付け方法について説明する。まず、挿入孔Ｈに雄ネジ部１０を挿入した状態で、一次側配管４のソケット４ａに連結部材３の雄ネジ部１０を螺合連結する。このとき、雄ネジ部１０にはシールテープを巻き、ソケット４ａの先端に設けられた雌ねじ部１０にねじ込むようにする。
【００２９】
次に、蛇口本体２の吐水管５に挿入管１７を挿入した状態で、蛇口本体２のフランジ７を係合部１５の隙間１５ａにはめこむ。なお、蛇口本体２と連結部材３との位置関係は、蛇口本体２のハンドル６が上側となるようにし、蛇口本体２を上側に若干傾斜させた状態で、フランジ７の上縁を係合部１５に挿入した後、蛇口本体を水平状態とする。
【００３０】
続いて、止水バルブ１８の操作部１９と、貫通孔２０との位置が一致するように、蛇口本体２の取り付け角度を調整し、フランジ７に設けられている貫通孔８と連結部材のネジ孔１６との位置を合わせ、ネジ９で両者を固定する。このとき、フランジ７と連結部材３の本体部１２の接触面は強く密着し、パッキン１４によって接触面間の水漏れは防止される。
【００３１】
上記のように各工程は何れも簡易であり、本実施形態の水栓蛇口１の取付けは、熟練を要さず、初心者でも容易かつ好適に取り付けることができるようになる。また、連結部３と蛇口本体２との脱着は、ネジ９を用いているため、蛇口本体２の交換が容易であり、蛇口本体２が破損した場合などでも自分で交換可能である。
【００３２】
図４は変形例にかかる水栓蛇口に用いられる連結部材の構成を示す図である。図５は図４の連結部材に取り付けられる水栓蛇口のフランジ部の構造を示す図である。この例では、連結部材３と蛇口本体２との連結にボルトを用いており、両者の取付角度を調整することができるようになっている。
【００３３】
すなわち、連結部材３の本体部１２には、複数の固定用ネジ孔２１が円弧状に配列されて設けられており、蛇口本体２のフランジ部７には、当該固定用ネジ孔２１の配列方向に沿った円弧形状に長孔２２が設けられている。
【００３４】
固定用ネジ孔２１と長孔２２は、挿入管１７を吐水管５に挿入した状態で、フランジ部７と連結部材３とを密着させたときに、連通するような位置に設けられており、当該固定用ネジ孔２１と長孔２２に図示しないボルトを通して蛇口本体２を連結部材３に連結する。このとき、長孔２２のボルト取り付け位置を変更することで、止水バルブ１８の操作部１９と、貫通孔２０との位置が一致するように、蛇口本体２の取り付け角度を調整することができ、当該角度調整を容易にすることができる。
【００３５】
図６は変形例にかかる水栓蛇口に用いられる連結部材の構成を示す図である。図７は図６の連結部材に取り付けられる水栓蛇口のフランジ部の構造を示す図である。この例では、連結部材３は、本体部１２の対向する２箇所に本体部１２外縁に沿って流動経路を中心とする円弧状に設けられた係合部１５と、係合部１５の間の位置に設けられた２つの固定用ネジ孔１６を備える。
【００３６】
また、蛇口本体２のフランジ部７は、連結部材３の係合部１５に対応する形状に切り欠きが設けられており、固定用ネジ孔１６に対応した位置に貫通孔８が設けられている。
【００３７】
上記構成の変形例にかかる連結部材３に、水栓蛇口を取りつける作業においては、まず、切り欠き２３が係合部１５に収まるようにして挿入管１７を吐水管５に挿入する。その後、蛇口本体２を回転させ、フランジ部７の切り欠き２３の間に位置するフランジ部７の挿入縁２４を係合部１５の隙間に嵌め込み、固定用ネジ孔１６と貫通孔８とをネジ止めすることにより連結部材３と水栓蛇口２を固定する。なお、止水バルブ１８の操作部１９と、蛇口本体２の貫通孔２０との位置は一致するように構成されている。
【００３８】
以上説明したように、本実施形態にかかる水栓蛇口によれば、一次側配管に接続される連結部材と蛇口本体とを分割しているため、蛇口本体の脱着が容易である。また、挿入管内部に止水バルブを有し、当該止水バルブは、吐出管に設けられた貫通孔を通して操作可能であるため、蛇口の構成をコンパクトにすることができる。
【００３９】
さらに、両者の脱着は、主としてネジ止めを利用しているためその施工も容易である。また、連結部を板状に薄く構成することができる、蛇口を壁に近接した状態に取り付けることが可能となる。
【００４０】
また、新規に蛇口を取り付ける工事の際、取付部材３までの工事とし、漏水チェックや水圧試験が可能となり、蛇口本体２のデザインを自由に選択して取りつけることが可能となる。
【００４１】
なお、本発明は上記実施形態に限定されるものではなく、その他種々の態様で実施可能である。例えば、上記実施形態は、いずれも鉛直な壁に直接水栓蛇口を取り付ける構成であるが、図８に示すように、洗面台や浴室ユニットなどを構成する水平面又は斜面に取り付ける水栓蛇口としても利用することができる。
【符号の説明】
【００４２】
１  水栓蛇口
２  蛇口本体
３  取り付け部材
４  一次側配管
５  吐水管
６  ハンドル
７  フランジ
８  貫通孔
９  ネジ
１０  雄ネジ部
１１  雌ねじ部
１２  本体部
１３  流動経路
１４  パッキン
１５  係合部
１６  固定用ネジ孔
１７  挿入管
１８  止水バルブ
１９  操作部
２０  貫通孔
２１  固定用ネジ孔
２２  長孔
２３  切り欠き
２４  挿入縁
【要約】
【課題】  取り替えが容易でコンパクトに止水をすることができる水栓蛇口を提供する。
【解決手段】  壁Ｗ内に配置された一次側配管４に接続され壁面に取り付けられる連結部材３と、前記連結部材３と水密に連結する蛇口本体２とで構成された水栓蛇口１である。蛇口本体２は、周面に貫通孔２０が設けられた吐出管５と、前記吐出管５の上流側端部に設けられたフランジ部７を備え、前記連結部材３は、裏面側に位置する雄ネジ１０から表面側に貫通する流動経路１３を有する板状部１２と、前記板状部１２の表面側に設けられ前記蛇口本体２のフランジ部７を固定する固定部１５，１６と、前記蛇口本体２の吐出管５に挿入可能に前記板状部１２の表面側に突設された挿入管１７と、前記挿入管１７内部に設けられ、前記蛇口本体の貫通孔２０を通して操作可能な止水バルブ１８を有する。
【選択図】  図３【図１】
0005631518.tif 000002
【図２】
0005631518.tif 000003
【図３】
0005631518.tif 000004
【図４】
0005631518.tif 000005
【図５】
0005631518.tif 000006
【図６】
0005631518.tif 000007
【図７】
0005631518.tif 000008
【図８】
0005631518.tif 000009